(57)【要約】【課題】少ない柱で屋根を支えている工場等の屋根の上に軽くて遮熱効果の高い遮熱構造を新たに形成可能とする。【解決手段】第１の屋根１６と、第１の屋根１６の上に略平行に設けられた複数本の梁状部材１８と、梁状部材１８の上に取り付けられた第２の屋根３２と、第１の屋根１６と第２の屋根３２の間に設けられた熱反射シート３４とを備え、熱反射シートは、多孔質樹脂シート３６と、多孔質樹脂シート３６の表裏面に一体的に形成された一対の金属反射層３８，３８とからなり、熱反射シート３４の少なくとも表裏いずれかの面側には静止空気を保持する空間４０，４２が形成されている。【選択図】図１
2008111260.tif 000002
【特許請求の範囲】
【請求項１】
第１の屋根と、該第１の屋根の上に略平行に設けられた複数本の梁状部材と、該梁状部材の上に取り付けられた第２の屋根と、該第１の屋根と該第２の屋根の間に設けられた熱反射シートとを備え、該熱反射シートは、多孔質樹脂シートと、該多孔質樹脂シートの表裏面に一体的に形成された一対の金属反射層とからなり、該熱反射シートの少なくとも表裏いずれかの面側には静止空気を保持する空間が形成されていることを特徴とする遮熱屋根構造。
【請求項２】
前記第１の屋根が既設の屋根であり、前記第２の屋根が新設の屋根であることを特徴とする請求項１に記載の遮熱屋根構造。
【請求項３】
前記第１の屋根が折板屋根からなり、前記梁状部材は連結金具を介して前記第１の屋根に連結され、前記熱反射シートは前記第２の屋根と前記梁状部材に挟まれて保持されていることを特徴とする請求項１又は２に記載の遮熱屋根構造。
【請求項４】
前記第１の屋根が波スレート屋根からなり、前記梁状部材は連結金具を介して前記第１の屋根のフックボルトに連結され、前記熱反射シートは前記梁状部材の上側に支持されていることを特徴とする請求項１又は２に記載の遮熱屋根構造。
【請求項５】
前記第１の屋根が瓦棒葺き屋根からなり、前記梁状部材は連結金具を介して前記第１の屋根のリブ部に連結され、前記熱反射シートは前記第２の屋根と前記梁状部材に挟まれて保持されていることを特徴とする請求項１又は２に記載の遮熱屋根構造。
【発明の詳細な説明】
【技術分野】
【０００１】
本発明は、熱反射シートを用いて冷房効果及び暖房効果を高めた遮熱屋根構造に関するものである。
【背景技術】
【０００２】
冷房効果及び暖房効果を高める従来の屋根構造の一例として、屋根材の上に断熱材を載せ、断熱材を屋根材にボルト・ナットで固定したものが知られている。
【０００３】
工場の場合、屋根材を広いエリアで柱無しで支えているので、屋根材を支えている梁の強度が小さく、この構造のものは、厚い断熱材を載せることができず、従って、十分な断熱効果を得ることができない。
【０００４】
また、この構造のものは、断熱材に雨風が直接当たるので、断熱材が雨風によって劣化し、年月の経過とともに断熱性能が低下し、所望の断熱効果が得られなくなるという問題も有った。
【０００５】
この場合、断熱材を別の屋根材で被覆することも考えられるが、別の屋根材で被覆すると梁にかかる荷重が重くなり過ぎ、梁が耐えられなくなるので、断熱材を軽くしなければならず、そのようにした場合は十分な断熱効果が得られない。
【０００６】
また、従来の遮熱屋根構造の他の例として、熱反射シートを貼り付けた屋根材で屋根を形成したものが知られている。
【０００７】
この構造のものは、熱反射シートに雨風が直接当たるので、熱反射シートが雨風によって破損し、短期間に所望の遮熱効果が得られなくなる。
【０００８】
また、この構造のものは、熱反射シートが屋根材に直接接しているので、熱反射シートと屋根材との間に熱伝導があり、遮熱（断熱）効果が小さい。
【特許文献１】特開２００３−９００８８号公報
【特許文献２】特開２００４−１００４２８号公報
【発明の開示】
【発明が解決しようとする課題】
【０００９】
解決しようとする問題点は、工場のように少ない柱で屋根を支えている建物の場合、その屋根を断熱効果の高い厚い断熱材で被覆すると、屋根が重くなり過ぎて屋根を支えることができなくなるので、屋根の上に断熱効果の高い断熱構造を新たに形成し難い点である。
【課題を解決するための手段】
【００１０】
本発明は、工場のように少ない柱で屋根を支えている建物の場合、その建物の屋根の断熱（遮熱）性能を高めるため、既設屋根と新設屋根の間に熱反射シートを設けたことを最も主要な特徴とする。
【００１１】
本発明は、更に詳しくは、第１の屋根と、該第１の屋根の上に略平行に設けられた複数本の梁状部材と、該梁状部材の上に取り付けられた第２の屋根と、該第１の屋根と該第２の屋根の間に設けられた熱反射シートとを備え、該熱反射シートは、多孔質樹脂シートと、該多孔質樹脂シートの表裏面に一体的に形成された一対の金属反射層とからなり、該熱反射シートの少なくとも表裏いずれかの面側には静止空気を保持する空間が形成されていることを特徴とするものである。
【００１２】
ここで、前記第１の屋根が既設の屋根であり、前記第２の屋根が新設の屋根であってもよい。また、前記第１の屋根が折板屋根からなり、前記梁状金具は連結金具を介して前記第１の屋根の峰部に連結され、前記熱反射シートは前記第２の屋根と前記梁状金具に挟まれて保持されていてもよい。また、前記第１の屋根が波スレート屋根からなり、前記梁状金具は連結金具を介して前記第１の屋根のフックボルトに連結され、前記熱反射シートは前記梁状金具の上面に支持されていてもよい。また、前記第１の屋根が瓦棒葺き屋根からなり、前記梁状金具は連結金具を介して前記第１の屋根のリブ部に連結され、前記熱反射シートは前記第２の屋根と前記梁状金具に挟まれて保持されていてもよい。
【発明の効果】
【００１３】
本発明の屋根構造は、第２の屋根の内側に熱反射シートを備えているので、屋外が暑くなっている場合でも、第２の屋根を介して屋内側に入ってきた外部の熱は熱反射シートによって屋外側に反射され、従って、屋外の熱によって屋内が暑くなり難く、また屋内を冷房した場合は冷房費が少なくて済むという利点がある。
【００１４】
また、本発明の屋根構造は、第２の屋根の内側に熱反射シートを備えているので、屋外が寒くなっている場合でも、寒気が熱反射シートによって屋外に向けて反射したり、屋内から屋外に逃げようとする熱が熱反射シートによって屋内側に反射されるので、屋内の熱の屋外側への逃散が阻止され、屋内が寒くなり難く、また、屋内を暖房した場合は暖房費が少なくて済むという利点がある。
【００１５】
また、本発明の屋根構造は、熱反射シートの少なくとも表裏いずれかの面側に静止空気を保持する空間が形成されているので、屋内と屋外で温度差が有る場合であっても、空気の対流による熱伝導が少なく、屋内と屋外との間の熱の移動が抑制され、屋内が暑くなり過ぎたり、寒くなり過ぎることがなく、また、冷暖房をした場合に冷暖房効率も良好であるという利点がある。。
【００１６】
また、本発明の屋根構造は、熱反射シートの上方に第２の屋根が設けられているので、熱反射シートが風雨から保護され、破損が防止され、表面の熱反射能力が維持され、長期の使用に耐えるという利点がある。
【００１７】
また、本発明の屋根構造は、熱反射シートの下方に第１の屋根が有るので、熱反射シートが屋内側の空気に含まれる汚れ物質から保護され、表面の熱反射能力が長期に亘って維持され、長期に亘って遮熱（断熱）効果が保たれるという利点がある。
【００１８】
また、本発明の屋根構造は、熱反射シートが梁状金具によって支持されているので、熱反射シートが垂れ下がることなく保持されるという利点がある。
【発明を実施するための最良の形態】
【００１９】
既設屋根の断熱効果を高めるという目的を、熱反射シートという軽量な材料を使用して、遮熱（断熱）構造の耐久性を長期に亘って損なうことなく実現した。
【実施例１】
【００２０】
図１は本発明の一実施例に係る遮熱屋根構造の断面図、図２は図１のＡ−Ａ断面図、図３は熱反射シートの断面図である。これらの図において、１０は断面略Ｈ字状の鉄骨小梁であり、鉄骨小梁１０は水平に設けられている。鉄骨小梁１０は複数本が略平行に且つ所定間隔をおいて設けられている。鉄骨小梁１０は屋根の峰位置から屋根の軒先位置に向かって低くなるように設けられている。
【００２１】
鉄骨小梁１０の天端には複数の折板取付金具１２が所定間隔をおいて溶接により取り付けられている。鉄骨小梁１０に取り付けられた折板取付金具１２は他の鉄骨小梁１０に取り付けられた折板取付金具１２とともに列状に並んでいる。
【００２２】
折板取付金具１２には折板１４が取り付けられている。折板１４は断面略逆台形をした長尺の板金材からなる。取り付けられた折板１４は縁部が相互に嵌合して連続し、連続した折板１４は第１の屋根１６を形成している。
【００２３】
第１の屋根１６の上には梁状の取付け用金属１８が水平に取り付けられている。取付け用金属１８は断面略L字状の長尺部材からなる。取付け用金属１８は複数本が略並行に所定間隔をおいて階段状に取り付けられている。取付け用金属１８は折板１４に対して略直角に取り付けられている。取付け用金属１８は連結金具である取付け用金属固定金具２０の凹部２２に嵌合し、取付専用ボルト２３によって取付け用金属固定金具２０に固定された状態で第１の屋根１６のリブ２４に連結されている。
【００２４】
取付け用金属１８の上には小型の折板である小型金属屋根材２６が取付専用ビス２８によって取り付けられている。隣り合う小型金属屋根材２６は専用ビス３０によって端部近傍で連結されて連続し、連続した小型金属屋根材２６は第２の屋根３２を形成している。
【００２５】
取付け用金属１８と第２の屋根３２との間には熱反射シート３４が挟まれた状態で設置されている。熱反射シート３４は、多孔質樹脂シート３６と、多孔質樹脂シート３６の表裏面に一体的に形成された一対の金属反射層３８，３８とにより構成されている。金属反射層３８はアルミニウムからなる。熱反射シート３４の端部はジョイントアルミテープ（図示せず）により連結され、２次元方向に広がっている。
【００２６】
熱反射シート３４と第１の屋根１６との間には静止空気空間４０が形成され、熱反射シート３４と第２の屋根３２との間には静止空気空間４２が形成されている。
【実施例２】
【００２７】
図４は本発明の他の実施例に係る遮熱屋根構造の断面図、図５は図４のＢ−Ｂ断面図である。これらの図において、４４は断面略Ｃ字状の母屋であり、母屋４４は複数本が略平行に且つ所定間隔をおいて設けられている。母屋４４は水平に、且つ屋根の峰位置から屋根の軒先位置に向かって低くなるように設けられている。
【００２８】
母屋４４の上には大波スレート４６が載置されている。大波スレート４６はフックボルト４８によって母屋４４に固定されている。フックボルト４８は一方の端部に折れ曲がったフック部５０を有し、他方の端部にボルト部５２を有する棒状体からなる。フックボルト４８はフック部５０が母屋４４に係合し、ボルト部５２が大波スレート４６を貫通して突出し、突出したボルト部５２にナット５４が螺合して大波スレート４６を外から固定している。隣り合う大波スレート４６の縁部は重なり合い、縁部が重なり合った複数枚の大波スレート４６は第１の屋根５６を形成している。
【００２９】
第１の屋根５６の上には複数本の取付け用金属１８が取付け用金属固定金具５８を介して第１の屋根５６に取り付けられている。取付け用金属１８は断面略Ｌ字状の長尺部材からなる。取付け用金属１８は複数本が略並行に所定間隔をおいて階段状に取り付けられている。取付け用金属１８は大波スレート４６のリブに対して略直角に取り付けられている。
【００３０】
取付け用金属固定金具５８はフックボルト４８が取り付けられている部位に取り付けられている。取付け用金属固定金具５８はフックボルト４８のボルト部５２が貫通した状態で取り付けられている。取付け用金属固定金具５８はボルト部５２に螺合された専用ナット６０により大波スレート４６に押し付けられた状態で固定されている。
【００３１】
取付け用金属１８の上には小型の折板である小型金属屋根材２６が専用ビス２８によって取り付けられている。隣り合う小型金属屋根材２６は専用ビス３０によって端部近傍で連結されて連続し、連続した小型金属屋根材２６は第２の屋根３２を形成している。
【００３２】
取付け用金属１８と第２の屋根３２との間には熱反射シート３４が挟まれた状態で設置されている。熱反射シート３４は、多孔質樹脂シート３６と、多孔質樹脂シート３６の表裏面に一体的に形成された一対の金属反射層３８，３８とにより構成されている（図３参照）。金属反射層３８はアルミニウムからなる。熱反射シート３４の端部はジョイントアルミテープ（図示せず）により連結され、２次元方向に広がっている。
【００３３】
熱反射シート３４と第１の屋根５６との間には静止空気空間４０が形成され、熱反射シート３４と第２の屋根３２との間には静止空気空間４２が形成されている。
【実施例３】
【００３４】
図６は本発明の他の実施例に係る遮熱屋根構造の断面図、図７は図６のＣ−Ｃ断面図である。これらの図において、４４は断面略Ｃ字状の母屋であり、母屋４４は複数本が略平行に且つ所定間隔をおいて設けられている。母屋４４は水平に、且つ屋根の峰位置から屋根の軒先位置に向かって低くなるように設けられている。
【００３５】
母屋４４の上には瓦棒葺き６２が下地材６４を介して載置されている。瓦棒葺き６２及び下地材６４は母屋４４にボルト６６で固定されている。瓦棒葺き屋根には略平行な複数条のリブが峰から軒先に向けて形成されている。瓦棒葺き６２及び下地材６４によって第１の屋根６８が形成されている。
【００３６】
第１の屋根６８の上には複数本の取付け用金属１８が取付け用金属固定金具７０を介して第１の屋根６８に取り付けられている。取付け用金属１８は断面略コ字状の長尺部材からなる。取付け用金属１８は複数本が略並行に所定間隔をおいて階段状に取り付けられている。取付け用金属１８は凹部２２に嵌合し、取付専用ボルト２３によって取付け用金属固定金具７０に固定された状態で第１の屋根のリブ７２に対して略直角に取り付けられている。取付け用金属固定金具７０は第１の屋根６８のリブ７２に取り付けられている。
【００３７】
取付け用金属１８の上には小型の折板である小型金属屋根材２６が専用ビス２８によって取り付けられている。隣り合う小型金属屋根材２６は専用ビス３０によって端部近傍で連結されて連続し、連続した小型金属屋根材２６は第２の屋根３２を形成している。
【００３８】
取付け用金属１８と第２の屋根１６との間には熱反射シート３４が挟まれた状態で設置されている。熱反射シート３４は、多孔質樹脂シート３６と、多孔質樹脂シート３６の表裏面に一体的に形成された一対の金属反射層３８，３８とにより構成されている（図３参照）。金属反射層３８はアルミニウムからなる。熱反射シート３４の端部はジョイントアルミテープ（図示せず）により連結され、２次元方向に広がっている。
【００３９】
熱反射シート３４と第１の屋根６８との間には静止空気空間４０が形成され、熱反射シート３４と第２の屋根３２との間には静止空気空間４２が形成されている。
【産業上の利用可能性】
【００４０】
本発明は屋根を遮熱して冷房効率及び暖房効率を高めるために使用するものであるが、壁や床に適用して冷房効率及び暖房効率を高めることも可能である。
【図面の簡単な説明】
【００４１】
【図１】本発明の第一実施例に係る遮熱屋根構造の断面図である。
【図２】図１のＡ−Ａ断面図である。
【図３】熱反射シートの断面図である。
【図４】本発明の第二実施例に係る遮熱屋根構造の断面図である。
【図５】図４のＢ−Ｂ断面図である。
【図６】本発明の第三実施例に係る遮熱屋根構造の断面図である。
【図７】図６のＣ−Ｃ断面図である。
【符号の説明】
【００４２】
１０  鉄骨小梁
１２  折板取付金具
１４  折板
１６  第１の屋根
１８  取付け用金属
２０  取付け用金属固定金具
２２  凹部
２４  リブ
２６  小型金属屋根材
２８  専用ボルト
３０  専用ビス
３２  第２の屋根
３４  熱反射シート
３６  多孔質樹脂シート
３８  金属反射層
４０  静止空気空間
４２  静止空気空間
４４  母屋
４６  大波スレート
４８  フックボルト
５０  フック部
５２  ボルト部
５４  ナット
５６  第１の屋根
５８  取付け用金属固定金具
６０  専用ナット
６２  瓦棒葺き
６４  下地材
６６  ボルト
６８  第１の屋根
７０  取付け用金属固定金具
７２  リブ
【図１】
2008111260.tif 000003
【図２】
2008111260.tif 000004
【図３】
2008111260.tif 000005
【図４】
2008111260.tif 000006
【図５】
2008111260.tif 000007
【図６】
2008111260.tif 000008
【図７】
2008111260.tif 000009